(57)【要約】【課題】  マイナスイオン等の発生器を居室ごとに設置する必要がなく、機器設置費用を安価に抑えることができるとともに、ランニングコストも低く抑えることができる建物の換気装置を提供すること。【解決手段】  屋外の空気を自然給気により取り込む一方、屋内の空気を強制排気により排出する第３種換気方式の建物の換気装置において、給気経路の途中に、マイナスイオン等を空気中に混入する装置５を設置し、この混入装置によりマイナスイオン等を混入した空気を、複数の居室その他の屋内空間へ供給することを特徴とする。【選択図】      図１
2006057907.tif 000002
【特許請求の範囲】
【請求項１】
屋外の空気を自然給気により取り込む一方、屋内の空気を強制排気により排出する第３種換気方式の建物の換気装置において、給気経路の途中に、マイナスイオン等を空気中に混入する装置を設置し、この混入装置によりマイナスイオン等を混入した空気を、複数の居室その他の屋内空間へ供給することを特徴とする建物の換気装置。
【請求項２】
混入装置が、マイナスイオン等の発生器と、この発生器で発生したマイナスイオン等と屋外から取り込む自然空気とを混合する混合器とからなる請求項１に記載の建物の換気装置。
【請求項３】
混入装置が、複数の居室のうちの１つに設置され、この居室の混入装置と混入装置が設置されていない他の居室との間が、混入した空気が直接供給可能なようにそれぞれダクトで連結され、かつその他の屋内空間に排気機械が設置されている請求項１又は２に記載の建物の換気装置。
【請求項４】
排気機械が、混入装置が設置されていない他の居室にも設置されている請求項３に記載の建物の換気装置。
【発明の詳細な説明】
【技術分野】
【０００１】
この発明は、住宅等の建物の換気装置に関するものである。
【背景技術】
【０００２】
現在、建築基準法により住宅においては２４時間（常時）換気が義務付けられており、その中でもっとも安価な換気装置として、第３種換気方式が用いられている。この第３種換気方式は、図４，５に示すように屋内の空気の排出は排気機械で強制的に行い、屋外の空気の取り込みは給気口などから自然給気で行う換気方式であり、空気の排出が排気機械で行われるため、湿気が壁内へ浸入しにくいとともに、高密度住宅では、低コストで計画換気が可能であるという特長がある。この場合は、トイレなど非居室等に排気機械を設置し、各居室に自然給気用の給気口を設置するのが一般的である。
【発明の開示】
【発明が解決しようとする課題】
【０００３】
ところで、前記のような第３種換気方式において、マイナスイオンやアロマテラピー等の臭気、又は酸素等のリラックス効果や人体へよい影響を供与する目的のもの（以下、「マイナスイオン等」という。）を複数の居室に供給するには、それぞれ単体で存在するマイナスイオン等の発生器を居室ごとに設置する必要があり、機器設置に費用がかかるうえ、電気代等のランニングコストも多くなるという問題点があった。
【０００４】
そこでこの発明は、前記のような従来の問題点を解決し、マイナスイオン等の発生器を居室ごとに設置する必要がなく、機器設置費用を安価に抑えることができるとともに、ランニングコストも低く抑えることができる建物の換気装置を提供することを目的とする。
【課題を解決するための手段】
【０００５】
前記目的を達成するため、請求項１に記載の発明は、屋外の空気を自然給気により取り込む一方、屋内の空気を強制排気により排出する第３種換気方式の建物の換気装置において、給気経路の途中に、マイナスイオン等を空気中に混入する装置を設置し、この混入装置によりマイナスイオン等を混入した空気を、複数の居室その他の屋内空間へ供給することを特徴とする。
【０００６】
請求項２に記載の発明は、請求項１において、混入装置が、マイナスイオン等の発生器と、この発生器で発生したマイナスイオン等と屋外から取り込む自然空気とを混合する混合器とからなることを特徴とする。
【０００７】
請求項３に記載の発明は、請求項１又は２において、混入装置が、複数の居室のうちの１つに設置され、この居室の混入装置と混入装置が設置されていない他の居室との間が、混入した空気が直接供給可能なようにそれぞれダクトで連結され、かつその他の屋内空間に排気機械が設置されていることを特徴とする。
【０００８】
請求項４に記載の発明は、請求項３において、排気機械が、混入装置が設置されていない他の居室にも設置されていることを特徴とする。
【発明の効果】
【０００９】
この発明は前記のように、給気経路の途中に、マイナスイオン等を空気中に混入する装置を設置し、この混入装置によりマイナスイオン等を混入した空気を、複数の居室その他の屋内空間へ供給するので、従来のようにマイナスイオン等の発生器を居室ごとに設置する必要がなくなり、建物内のスペースを有効活用することができる。しかも、機器設置費用を安価に抑えることができる。さらに、ランニングコストも低く抑えることができるという効果がある。
【発明を実施するための最良の形態】
【００１０】
この発明の一実施の形態を、添付図面を参照して説明する。
【００１１】
図１は、第３種換気方式の換気装置を設置した一般的な住宅の間取り図を示す。この例では、住宅の下階又は上階の間取りを示し、３つの居室１，２，３と、１つの非居室等４からなっている。一番広い居室１の自然給気取り込み部にはマイナスイオン等を空気中に混入する混入装置５が設置されている。混入装置５は、図２に一例を示すようにマイナスイオン等の発生器６と、この発生器で発生したマイナスイオン等と屋外から取り込む自然空気とを混合する混合器７とから構成され、これら機器６，７が一体で例えば居室１の壁等に設置される。混合器７の屋外を向いた側面には屋外からの自然空気を取り入れるダクト８が取り付けられている。また、混合器７の屋内を向いた側面には発生器６からのマイナスイオン等と混合器７で混合された混合空気を屋内空間へ供給するダクト９が取り付けられている。ダクト９は途中で２つに分岐し、その分岐菅９ａ，９ｂの先端部はそれぞれ居室２，３に開口して、混合空気を居室２，３にダクト９及びその分岐菅９ａ，９ｂから直接供給できるようになっている。居室１にはダクト９が開口しておらず、混合器７から直接供給されるようになっている。
【００１２】
マイナスイオン等の発生器６は混合器７の上面に設置され、発生したマイナスイオン等を混合器７内に放射し、空気と混合できるようになっている。マイナスイオン等の発生に際してはこの例では電気でマイナスイオンを発生させるいわゆる電子放射式と呼ばれるものを利用している。そのために発生器６には電源コード１２が取り付けられている。
【００１３】
図１では太線矢示がダクトの分岐菅９ａ，９ｂとその中を流通する混合空気の流れ方向を表している。また、細線矢示が混合器７から居室１へ、あるいは居室１，２，３から扉や隙間等を経て非居室等４へ流通する混合空気の流れ方向を表している。これらの空気の流れは非居室等４に設置される図示しない排気機械による強制排気によってもたらされるようになっている。
【００１４】
前記のような構成からなるので、屋外からの自然空気がダクト８から混入装置５の混合器７内に入り、この混合器７内でマイナスイオン等の発生器６から放射されるマイナスイオン等と混合され、ダクト９及びその分岐菅９ａ，９ｂから屋内に分岐供給される。すなわち、自然空気とマイナスイオン等の混合空気が図１に矢印で示すようにダクト９及びその分岐菅９ａ，９ｂから居室２，３に供給されるとともに、混合器７から居室１に供給され、さらに各居室１，２，３から排気機械のある非居室等４に供給される。このように混合空気が混入装置５のある居室１からその隣接する居室２，３及び非居室等４へと各室等にバランスよく供給されることにより、各室等にマイナスイオン等をほぼ均等にもたらして住んでいる者を爽快な気分等にさせるなどリラックス効果等を期待できる。しかも、居室２，３にはダクト９及びその分岐菅９ａ，９ｂから直接供給されるため、ダクトによらない供給に比べてマイナスイオン等をもたらす効果が高くなる。エアコン冷房やガス暖房で長時間閉め切った居室ではとかくプラスイオンが多くなって、イライラといった不快な症状を引き起こすが、前記のような混合空気によってマイナスイオン等を供給することにより、このような不快症状も起きることがなく、精神的にも肉体的にも癒される。
【００１５】
この実施の形態によれば、混入装置５は居室１にのみ設置すればよく、従来のように居室ごとにマイナスイオン等の発生器を設置する必要がない。したがって、従来に比べて機器設置に要する費用を安価にすることが可能となるのに加え、ランニングコストも安価になる。
【００１６】
図３は、別の実施の形態の間取り図を示す。この例では排気機械が、非居室等４のほかに混入装置５が設置されていない居室３にも設置されている。このように排気機械を２つ設置すると、いずれかの排気機械を運転したり、又は両方の排気機械を運転あるいは停止したりする制御が可能となり、混入装置５から各室等への混合空気の流通を適宜に変更することができる。しかも、この場合には強制排気力が前記の実施の形態に比べて強くなるので、ダクトの分岐菅９ｂを省略しても混合空気を矢印で示すように居室１，２から非居室等４へ、又は非居室等４から居室３へと循環して供給させることが可能となって、前記実施の形態と同等な作用効果が期待できる。また、この実施の形態は好ましい一例であって、排気機械が居室２に設置され、ダクトの分岐菅９ａが混合器７と居室２間ではなく、混合器７と居室３間に設けるようにしてもよい。
【００１７】
前記各実施の形態においては混入装置５を居室１の壁等に設置した例を示したが、この設置場所は任意であり、そのほかの居室やそのほかの任意の位置に設置してもよく、要は自然給気の経路の途中に設置されていればよい。例えばこの例のように壁等に設置すると居室１内に突起物として表れることになり見栄えが悪い。そのため、このような場合は、壁等への設置に代えて使い勝手をよくするために天井ふところに設置するようにしてもよい。ただ、この場合にはダクト９を途中から３つに分岐させ、その先端部をそれぞれ居室１，２，３に開口して、混合空気を居室２，３だけでなく、居室１にもダクト９から直接供給する必要があろう。
【００１８】
また、自然空気に混合するものとして、前記のようにマイナスイオン等を説明したが、この中にはハーブ、フィトンチッドガス、消臭剤、芳香剤、蚊取り線香（電気式も含む）を含めてもよい。
【図面の簡単な説明】
【００１９】
【図１】この発明の一実施の形態を示す、第３種換気方式の換気装置を設置した一般的な住宅の間取り図である。
【図２】同上に用いられる混入装置の概略図である。
【図３】別の実施の形態を示す、図１と対応する間取り図である。
【図４】従来の第３種換気方式の換気装置を設置した一般的な住宅の概略図である。
【図５】同上の間取り図である。
【符号の説明】
【００２０】
１，２，３  居室
４  非居室等
５  混入装置
６  マイナスイオン等の発生器
７  混合器
８，９  ダクト
９ａ，９ｂ  ダクトの分岐菅
１２  電源コード
【図１】
2006057907.tif 000003
【図２】
2006057907.tif 000004
【図３】
2006057907.tif 000005
【図４】
2006057907.tif 000006
【図５】
2006057907.tif 000007